(57)【特許請求の範囲】
【請求項１】
一方の面に胸部側電極、他方の面に手のひら側電極を配設し、手のひら側電極を手に接触させた状態で胸部側電極を生体の胸部に接触させることにより得られる電位差を増幅し、波形処理したのち心電図としてメモリー回路に記憶させ、当該メモリーされた心電図を可聴信号の搬送波に周波数変調をかけ電話回線を通じて復調装置を有する場所まで伝送するようにした離隔心電図伝送装置において、少なくとも胸部側電極、手のひら側電極、マイクロプロセッサ及び記憶媒体を具備した小型心電計を、電話機の送受話器本体に、手のひら側電極が外側に露出した状態で着脱自在に装着できるようになし、且つ送受話器本体の受話口周縁部に第２の胸部側電極を配設し、小型心電計を送受話器本体にセットしたとき、当該第２の胸部側電極と小型心電計の胸部側電極とが電気的に繋がるように構成したことを特徴とする心電図伝送機能を具備した電話機。
【発明の詳細な説明】
【０００１】
【発明の属する技術分野】
本発明は離隔した場所において生体の心電図情報を復調器等からなる解析装置を有する場所まで伝送して心疾患等の異常を早期に発見できるようになした心電図伝送機能を具備した電話機に関する。
【０００２】
【従来の技術】
生体から心電図情報を採取して、当該生体から離隔した場所の医療従事者等へ電話回線を利用して心電図情報を伝送することにより、医療従事者等によって生体の心疾患の状態が把握されると共に、医療処置の判断が速やかに行われるようにする心電図伝送システムが現に稼働している。
【０００３】
【発明が解決しようとする課題】
しかしながら、従来の携帯用小型心電計では電話の送受話器本体とは別体として構成されていたため、容態の急変に即応できないこともあった。すなわち、心臓発作等は何時発生するか判らず、しかも発作時に慌てることが多く心電計の所在が不明となって計測できない場合が生じたり、電極をあてがうべき本来の部位を誤るようなことも往々にしてあった。また、生体から検出した心電情報は送受話器の送話口にスピーカ部を押し当てて伝送しなければならないが、慌ててスピーカ部を送話口に押し当てることができないこともあり、この場合には伝送不良となって解析センターないし医療センター等において復調できない場合も生ずるといった問題点があった。
【０００４】
そこで、本発明は電話の送受話器本体に小型心電計を着脱自在に装着できるようにすると共に、送受話器本体に第２の胸部側電極を配設して、簡単且つ確実に安定した心電図を計測することができ、しかも解析センターないし医療センターまでスムーズに心電情報を伝送することができるようになした心電図伝送機能を具備した電話機を提供することを目的とするものである。
【０００５】
【課題を解決するための手段】
前記目的を達成するための本発明の構成を詳述すれば、一方の面に胸部側電極、他方の面に手のひら側電極を配設し、手のひら側電極を手に接触させた状態で胸部側電極を生体の胸部に接触させることにより得られる電位差を増幅し、波形処理したのち心電図としてメモリー回路に記憶させ、当該メモリーされた心電図を可聴信号の搬送波に周波数変調をかけ電話回線を通じて復調装置を有する場所まで伝送するようにした離隔心電図伝送装置において、少なくとも胸部側電極、手のひら側電極、マイクロプロセッサ及び記憶媒体を具備した小型心電計を、電話の送受話器本体に、手のひら側電極が外側に露出した状態で着脱自在に装着できるようになし、且つ送受話器本体の受話口周縁部に第２の胸部側電極を配設し、小型心電計を送受話器本体にセットしたとき、当該第２の胸部側電極と小型心電計の胸部側電極とが電気的に繋がるように構成したことを特徴とする心電図伝送機能を具備した電話機である。
【０００６】
本発明に係る心電図伝送機能を具備した電話機によれば、小型心電計が送受話器本体に着脱自在に取付けられるようになっているので、あらかじめ電話機にセットしておけば心疾患等の容態の急変に対応して速やかに心電図を採取してこれを復調装置等を有する解析センターに伝送することができ、当該解析センターに医師等、医療従事者が所在する場合には当該電話回線を介して直ちに最適の処置を指示することができるようになる。なお、小型心電計は送受話器本体から取り外すことができるようになっており、しかも生体の心電図を記憶しておくことができるので、外出時に携行して緊急時にも心電図情報を採取することが可能となる。
【０００７】
【発明の実施の形態】
以下、本発明に係る心電図伝送機能を具備した電話機の具体的構成を図示の実施形態に基づき詳細に説明する。
図１は本発明に係る小型心電計を装着した電話機の一例を示す斜視図、図２は送受話器本体から小型心電計を外した状態の一例を示す斜視図、図３は送受話器本体の受話口周縁部に付設した第２の胸部側電極を示す斜視図、図４は小型心電計の一例を示す側面図、図５は送受話器本体にセットする小型心電計の回路構成の一例を示すブロック図である。
【０００８】
図中１は電話機２を構成する送受話器本体３に着脱自在に取付けることのできる小型心電計の全体を示し、４は当該小型心電計１の一方の面に付設した胸部側電極、５は他方の面に付設した手のひら側電極である。心電の微少レベルの電圧（ＥＣＧ信号）は、胸部側電極４と、手のひら側電極５の間にピックアップされるものであるから、手のひら側電極５を右手で握るなど手に接触させた状態で胸部側電極４を、生体の胸部に接触させることによって各個体の心電情報が得られることとなる。
【０００９】
小型心電計１は、上記両電極４，５の間に検出される微少レベルのＥＣＧ信号を電気的に処理するために必要なレベルまで増幅するための増幅器６を備えており、当該増幅器６によって増幅された信号は帯域フィルタ７とＰＭパルス検出器８に供給される。ここでの帯域フィルタ７は心電情報以外の不要な成分の除去のために用いられるものであり、帯域フィルタ７から出力された信号は次段のマイクロプロセッサ９に導かれる。また、ＰＭパルス検出器８はＰＭパルスを検出するための回路であり、検出されたのちマイクロプロセッサ９に導かれる。
【００１０】
マイクロプロセッサ９には、アナログ信号をデジタル信号に変換するＡ／Ｄ変換機能や、プログラムをメモリーするＲＯＭ機能、ＭＵＸなどの多様な信号処理ができるようになっている。また、デジタル化されたＥＣＧ信号を圧縮してＲＡＭなどの記憶媒体１０に記憶させることができると共に、必要なとき何時でも取り出せるようになっている。
【００１１】
記憶媒体１０に記憶された心電情報は、電話回線でも充分伝送可能な可聴周波数の搬送波に周波数変調をかけてスピーカ１１を駆動させる。スピーカ１１から発生する心電情報を重畳した音声信号は送受話器本体３の送話口にあてがって伝送する。なお、心電データを送られた解析センターないし医療センター等は復調手段からなる解析装置を具備し、各波形分析されてプリンターやモニターに出力されて診断されるのは云うまでもない。
【００１２】
本発明においては上記した小型心電計１を、電話機２の送受話器本体３に、手のひら側電極５が外側に露出した状態で着脱自在に装着できるようになしたものであり、電話機２を構成する送受話器本体３の背面側適所、好ましくは送話口対応の背面側には、図２に示すように小型心電計１を装着するための凹陥部１２を凹設してある。当該凹陥部１２の先端周壁には凹溝１３を凹設してあって、当該凹溝１３内に、小型心電計１の頂部に突設してある爪部１４を嵌着させることによって、小型心電計１を送受話器本体３にセットすることができるようになっている。なお、小型心電計１を送受話器本体３に着脱自在に取付けるための手段構成は図示の実施形態以外にも様々な方法が可能であり、当該取付手段の変更によって本発明の範囲が影響されるものではない。
【００１３】
また、本発明においては小型心電計１を送受話器本体３に装着した状態で心電情報を採取し易くするため、送受話器本体３の受話口１５の周縁部に第２の胸部側電極１６を配設すると共に、小型心電計１を送受話器本体３にセットしたとき、当該第２の胸部側電極１６と小型心電計１にあらかじめ具備させてある胸部側電極４とが電気的に繋がるように構成してある。
【００１４】
すなわち、送受話器本体３に形成した小型心電計１をセットするための凹陥部１２には、内部に付設した図示しないバネ弾器等によって表面側に向け付勢された接点１７が用意されており、小型心電計１を凹陥部１２内に嵌着セットすると胸部側電極４が接点１７に面接触して、当該接点１７とリード線を介して導通状態となっている第２の胸部側電極１６と電気的に繋がった状態となる。
【００１５】
したがって、送受話器本体３に小型心電計１を装着した状態において、心電情報を採取しようとするときは、送受話器本体３を電話機２からピックアップして小型心電計１の手のひら側電極５を右手で握って、受話口１５の周縁部に配設してある第２の胸部側電極１６を生体の胸部に接触させ、小型心電計１の上部隅角付近に設けてある記録／送信スイッチ１８をＯＮすればよい。
【００１６】
第２の胸部側電極１６と手のひら側電極５の間に検出されるＥＣＧ信号は、前記したように増幅器６によって以後の処理に必要なレベルまで増幅されると共に、心電情報以外の不必要な成分が帯域フィルタ７によって取り除かれマイクロプロセッサ９に供給されて所要の処理がなされる。
【００１７】
記憶媒体１０に圧縮された状態でメモリーされた心電情報は、復調装置等を有する解析センターないし医療センターを短縮機能を利用する等して呼び出した後、記録／送信スイッチ１８を押すことによって電話回線を介して直ちに伝送される。本発明においては小型心電計１を送受話器本体３にセットしておくことができるので、従来のようにスピーカ１１を送話口に押し当てる必要がなく、音声信号はセットしたままの状態においてスムーズに伝送される。なお、記録あるいは送信をやり直したり、リセットするときはクリアボタン１９を用いる。
【００１８】
【発明の効果】
以上のように、本発明心電図伝送機能を具備した電話機によれば、送受話器本体の受話口周縁部に第２の胸部側電極を配設してあるので、外側に露出した状態となっている手のひら側電極を握って、受話口を胸部に押し当てれば簡単且つ確実に安定した心電情報を生体から採取することができるようになる。心臓発作等は何時発生するか判らず、しかも発作時に慌てることが多く心電計の所在が不明となって計測できない場合も従来はあったが、本発明によれば、電話機に小型心電計を取付けておくことができるので、容態の急変にも充分対応することが可能となる。また、送信の際においては従来のようにスピーカ部を送受話器本体の送話口に押し当てる必要がなくなり操作性が大幅に改善される。さらに、小型心電計を電話機から外して外出時に携行して必要に応じ心電情報を採取することもできる。
【図面の簡単な説明】
【図１】本発明に係る小型心電計を装着した電話機の一例を示す斜視図である。
【図２】送受話器本体から小型心電計を外した状態の一例を示す斜視図である。
【図３】送受話器本体の受話口周縁部に付設した第２の胸部側電極を示す斜視図である。
【図４】小型心電計の一例を示す側面図である。
【図５】送受話器本体にセットする小型心電計の回路構成の一例を示すブロック図である。
【符号の説明】
１：小型心電計                    ２：電話機
３：送受話器本体                  ４：胸部側電極
５：手のひら側電極                ６：増幅器
７：帯域フィルタ                  ８：ＰＭパルス検出器
９：マイクロプロセッサ          １０：記憶媒体
１１：スピーカ                    １２：凹陥部
１３：凹溝                        １４：爪部
１５：受話口                      １６：第２の胸部側電極
１７：接点                        １８：記録／送信スイッチ
１９：クリアボタン
【図１】
0003857569.tif 000002
【図２】
0003857569.tif 000003
【図３】
0003857569.tif 000004
【図４】
0003857569.tif 000005
【図５】
0003857569.tif 000006